(57)【要約】      （修正有）【課題】安価で持ち運びと設置とが容易な床置き式足踏み機を提供する。【解決手段】天井の小旋回身体移動補助機の旋回軌道下の寝台から角管Ｋ上のハンドルパイプＨまで天秤力で吊り上げられた状態で両膝関節に負荷をかけずに移動し、そのハンドルパイプから吊り下がる引張コイルばねＢＮの付いた左膝紐ＨＨと右膝紐ＭＨとを左膝装着帯と右膝装着帯とに連結する事でハンドルパイプを用いて足踏みする両膝関節への衝撃を引張コイルばねによる伸縮効果で微弱にし、さらに角管の上端部にボルトで固定する接続部品を付け外しできるようにする事で大板Ａに固着させた角管を設置後、その後で接続部品と台板Ｄと六角パイプＲとシャフトとハンドルパイプと左右の巻き輪ＨＭＷ、ＭＭＷと引張コイルばね等を組み合わせた部材を後付けする事で製品重量を２分割させた。【選択図】図１
0003228903.tif 000002
【実用新案登録請求の範囲】
【請求項１】
床上に置く大板上に下端を固着させて垂直にする角管の上端部の内側面内にコの字状に曲げた接続部品を密接に挿入し、その角管の上端部と接続部品の縦の2辺とをボルトで固定し、その接続部品の上辺面に台板の下面を固着し、両端面それぞれを前後にして台板上に載せる六角パイプの一辺を台板上に固着し、六角パイプの両端部それぞれの内径内に嵌め入れるベアリングの内径内にシャフトを固定し、そのシャフトの前端部の横穴内に真ん中を固着するハンドルパイプの左右双方の外周に内周を固着させる左巻き輪と右巻き輪との位置は左膝の外側と右膝の外側との斜め上方にし、左巻き輪と右巻き輪とのそれぞれから巻き下がる左膝紐と右膝紐とのそれぞれに取り付ける上部品と下部品とに上下のフックを掛け止める複数本の自由長さの各引張るコイルばねの中心位置に膝紐はたるんだ状態で位置し、それら左右双方の下部品から吊り下がる左膝紐と右膝紐との下端それぞれに取り付けるスナップフックを左膝装着帯と右膝装着帯とに掛け止めし、一例として大板上に立つ被介護者がハンドルパイプの両端部双方を握る両手の右手側を15センチ押し下げる事でシャフトを支点にする左巻き輪は15センチ上がり、左巻き輪から吊り下がる各引張コイルばねは12センチ伸び、伸びた許容長さの各引張コイルばねの中心位置でたるんだ状態の左膝紐はピンと張った状態になり、その左膝紐につながる左膝装着帯は3センチ上がる為に左つま先は大板上に着いた状態でかかとが3センチ上がり、同様にハンドルパイプの左側を押し下げる事でハンドルパイプの右巻き輪は上がり、その右巻き輪につながる各引張コイルばねは許容長さまで伸びて右足のかかとも少し上がって両足が左右交互に足踏みできるようにし、上記のように引張コイルばねの伸縮効果で両膝関節への衝撃は微弱になり、接続部品を配置する事で製品重量を2分割させて持ち運びと組み立てとを容易にした床置き式足踏みハンドル。
【考案の詳細な説明】
【技術分野】
【０００１】
本考案は、小旋回身体移動補助機構による(介護補助力＋片足の重さの力)で車椅子の子供を吊り上げる事で膝関節への衝撃を減らし、その状態でハンドルパイプから吊り下がる複数本の引張コイルばねを左右双方の両膝につなげる事で引張コイルばねの伸縮効果で両膝関節への衝撃が微弱になるようにする床置き式足踏みハンドルの分野。
【背景技術】
【０００２】
現在、車椅子を日々使用する子供たち(3歳〜18歳)は歩行練習をしない為に一生を車椅子で生活する。
【先行技術文献】
【特許文献】
【０００３】
【特許文献１】特願2019−191849
【特許文献２】実願2019−5087
【考案の概要】
【考案が解決しようとする課題】
【０００４】
車椅子の一人の子供はタクシーと車椅子とで20分で病院にいき20分待合室で過ごし、リハビリもせずに簡単な検査と診察をし、家にタクシーで帰っている、育ち盛りの子供の細胞を覚醒させる為に常識外れのリハビリをさせる事で一部の子供は歩けるようになる可能性を強く感じた。
【課題を解決するための手段】
【０００５】
上記目的を達成する為に、寝台に沿わせて床上に置く大板上に下端を固着させる角管の上端部の内側面内にコの字状に曲げた接続部品を密接に挿入し、その角管の上端部と接続部品の縦の2辺とをボルトで固定し、その接続部品の上板辺上に台板の下面を固着させた。
【０００６】
台板の上面に両端面を前後にして載せる六角パイプの一辺を台板上に固着し、その六角パイプの高さはリハビリをする人の両脇下の高さにし、その角管の配置は天井下に取り付ける小旋回身体移動補助機の先端が描く旋回軌道の真下にした。
【０００７】
六角パイプの前後両端部それぞれの内径内に嵌め入れるベアリングの内径内にシャフトを差し入れて固定し、そのシャフトの前端部の横穴内にハンドルパイプの真ん中の外周を固着し、そのハンドルパイプの左右双方の外周に左巻き輪と右巻き輪との内周を固着し、それらの位置それぞれを左膝の外側と右膝の外側との斜め上方位置にした。
【０００８】
左巻き輪と右巻き輪とのそれぞれから巻き下げる左膝紐と右膝紐とのそれぞれに取り付ける上部品と下部品とに複数本の引張コイルばねの上端と下端とのフックを掛け止めし、それら左右双方の下部品から吊り下がる左膝紐と右膝紐とのそれぞれの下端に取り付けるスナップフックを左膝装着帯と右膝装着帯とのそれぞれに掛け止めた。
【０００９】
寝台で休む被介護者が小旋回身体移動補助機の先端から吊り下がる吊り下げホルダーに自身が着用する装着帯を掛け止めて自信を最適な力で吊り上げて寝台から大板上に移動し、そこで一例としてハンドルパイプの両端部双方を両手で握り、その右手を15センチ押し下げる事でシャフトを支点にする左巻き輪は15センチ上がり左巻き輪から吊り下がる自由長さの各引張コイルばねは許容長さまで12センチ伸び、伸びた各引張コイルばねの中心位置でたるんだ状態の左膝紐はピンと張った状態になり、その左膝紐につながる左膝装着帯は3センチ上がる為に左つま先は大板上に着いた状態でかかとが3センチ上がり、同様にハンドルパイプの左手を押し下げる事でハンドルパイプの右巻き輪は上がり、その右巻き輪につながる引張コイルばねは伸びて右足のかかとも少し上がって両足は左右交互に足踏みできる。
【００１０】
上記のように引張コイルばねの伸縮効果で両膝関節への衝撃は微弱になり、接続部品が付け外しできる事で製品重量を2分割させて持ち運びと組み立てとを容易にした床置き式足踏みハンドル。
【考案の効果】
【００１１】
大板上に固着させる角管の上端部内に挿入するコの字状の接続部品を付け外しできるようにする事で製品重量を2分割にし持ち運びと組み立てとを容易にし、さらに自室の寝台に沿わせて置く為に病院までの往復の時間と各交通費と診察代金とを節約し、長時間のリハビリを可能にし疲れたら即座に寝台で横になって休憩し、さらに各国の多くの車椅子の子供に常識外れのリハビリで伝達神経と毛細血菅網とを覚醒改善し走り回って遊ぶ子供にする事で日本への友好心は増大し経済効果も期待できる。
【図面の簡単な説明】
【００１２】
【図１】床置き式足踏みハンドルの斜視図。
【図２】小旋回身体移動補助機の旋回軌道と寝台と床置き式ハンドルとの配置図。
【図３】コの字状の接続部品や六角パイプ等の断面図。
【図４】ハンドルパイプの断面図。
【図５】引張コイルばねの両端部のフックを掛け止める上部品と下部品との部品図。
【考案を実施するための形態】
【００１３】
本考案の実施形態を説明する、寝台CDに沿わせて床上に置く大板Aの上面に垂直にする角管Kの下端を固着し、その角管Kの上端部の内側面内にコの字状に曲げた接続部品KOを密接に挿入し、その角管Kの上端部と接続部品KOの縦の2辺とをボルトBBで固定し、その接続部品の上板面上に台板Dの下面を固着した。
【００１４】
台板Dの上に両端面それぞれを前後にする六角パイプRの一辺を台板D上に載せて固着し、その六角パイプRの高さはリハビリをする人の両脇下の高さにし、その角管Kの配置は天井下に取り付ける小旋回身体移動補助機Wの先端が描く旋回軌道RRの真下にした。
【００１５】
六角パイプRの前後両端部それぞれの内径内に嵌め入れるベアリングBの内径内にシャフトSYを差し入れて固定し、そのシャフトSYの前端部SYMの横穴内に差し入れるハンドルパイプHの真ん中を横穴内に固着し、そのハンドルパイプHの左右双方の外周に内周それぞれを固着させる左巻き輪HMWと右巻き輪MMWとの位置それぞれを左膝の外側と右膝の外側との斜め上にした。
【００１６】
左巻き輪HMWと右巻き輪MMWとのそれぞれから巻き下げる左膝紐HHと右膝紐MHとのそれぞれに取り付ける上部品UBと下部品CBとに自由長さの複数本の引張コイルばねBNの上端と下端とのフックBNFを掛け止めし、それら左右双方の下部品CBから吊り下がる左膝紐HHと右膝紐MHとのそれぞれの下端に取り付けるスナップフックSFを左膝装着帯HSと右膝装着帯MSとのそれぞれに掛け止めた。
【００１７】
寝台CNで休む被介護者が小旋回身体移動補助機Wの先端から吊り下がる吊り下げホルダーに自身が着用する装着帯を掛け止めて自信を最適な吊り上げ力で吊り上げし寝台CNから大板A上に移動して立ち、そこで一例として被介護者はハンドルパイプHの両端部双方を両手で握り、その右手を15センチ押し下げる事でシャフトSYを支点にする左巻き輪HMWは15センチ上がり、左巻き輪HMWから吊り下がる自由長さの各引張コイルばねBNは12センチ伸びて許容長さになり、伸びた各引張コイルばねBNの中心位置でたるんだ状態の左膝紐HHはピンと張った状態になり、その左膝紐HHにつながる左膝装着帯HZは3センチ上がる為に左つま先は大板A上に着いた状態でかかとが3センチ上がり、同様にハンドルパイプHの左手を押し下げる事でシャフトSYを支点にする右巻き輪MMWは上がり、その右巻き輪MMWにつながる引張コイルばねBNは許容長さに伸びて右足のかかとも少し上がって両足は左右交互に足踏みできた。
【００１８】
上記のように引張コイルばねの伸縮効果で両膝関節への衝撃は微弱になり、接続部品KOを配置する事で製品重量を2分割させて持ち運びと組み立てとを容易にした床置き式足踏みハンドル。
【符号の説明】
【００１９】
CN    寝台
KR    車椅子
KA    壁
A      大板
K      角管
KO    コの字状に曲げた接続部品
D      台板
R      六角パイプ
BB    ボルト
RM    六角パイプの前端面の蓋
RU    六角パイプの後端部の蓋
RA    蓋のねじ穴
RN    蓋の皿ねじ
RR    旋回軌道
BE    ベアリング
SY    シャフト
SYM  シャフトの前端部
H      ハンドルパイプ
HT    ハンドルパイプの端面の蓋
HMW  左巻き輪
MMW  右巻き輪
HH    左膝紐
MH    右膝紐
BN    引張コイルばね
BNF  引張コイルばねのフック
SF    スナップフック
UB    上部品
CB    下部品
AB    上部品と下部品とに開けた膝紐をくくり止める紐穴
HS    左膝装着帯
MS    右膝装着帯
W      小旋回身体移動補助機
【図１】
0003228903.tif 000003
【図２】
0003228903.tif 000004
【図３】
0003228903.tif 000005
【図４】
0003228903.tif 000006
【図５】
0003228903.tif 000007
【手続補正書】
【提出日】令和2年8月12日(2020.8.12)
【手続補正１】
【補正対象書類名】実用新案登録請求の範囲
【補正対象項目名】全文
【補正方法】変更
【補正の内容】
【実用新案登録請求の範囲】
【請求項１】
床上に置く大板上に下端を固着させて垂直にする角管の上端部の内側面内にコの字状に曲げた接続部品を密接に挿入し、その角管の上端部と接続部品の縦の2辺とをボルトで固定し、その接続部品の上辺面に台板の下面を固着し、両端面それぞれを前後にして台板上に載せる六角パイプの一辺を台板上に固着し、六角パイプの両端部それぞれの内径内に嵌め入れるベアリングの内径内にシャフトを固定し、そのシャフトの前端部の横穴内に真ん中を固着するハンドルパイプの左右双方の外周に内周を固着させる左巻き輪と右巻き輪との位置は左膝の外側と右膝の外側との斜め上方にし、左巻き輪と右巻き輪とのそれぞれから巻き下がる左膝紐と右膝紐とのそれぞれに取り付ける上部品と下部品とに上下のフックを掛け止める複数本の自由長さの各引張るコイルばねの中心位置に膝紐はたるんだ状態で位置し、それら左右双方の下部品から吊り下がる左膝紐と右膝紐との下端それぞれに取り付けるスナップフックを左膝装着帯と右膝装着帯とに掛け止めする事で両足を左右交互に足踏みできるようにし、上記のように接続部品を中間位置に配置する事で製品重量を2分割させて持ち運びと組み立てとを容易にした床置き式足踏みハンドル。